(57)【要約】【課題】  下り回線の回線容量を増加させることが可能な通信制御装置を提供する。【解決手段】  ＣＷ長情報抽出部３１１は上り回線において送信されるＣＷのビット系列の長さ（ＣＷ長）に関する情報を抽出し、受信品質しきい値設定部３１２に通知する。この時、受信品質しきい値設定部３１２では通知されたＣＷ長が大きいほど、品質しきい値Ｑthを小さく設定するようにする。受信品質しきい値設定部３１２で決定した品質しきい値Ｑthは基地局に送信する出力信号に多重化し、基地局へと通知される。【選択図】      図３
2008245315.tif 000002
【特許請求の範囲】
【請求項１】
１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムの品質しきい値設定方法であって、
前記基地局と前記移動局との間の伝搬環境に応じて品質しきい値を変化させるステップを有することを特徴とする品質しきい値設定方法。
【請求項２】
前記移動局が、前記共通パイロット信号の受信品質の測定結果に応じて回線を設定しているセルから１以上の送信セルを決定し、上り回線において前記送信セルを指定する送信セル指定信号を送信し、
前記回線を設定した基地局が、受信した前記送信セル指定信号の受信品質を測定し、当該受信品質が予め設定された所定の品質しきい値よりも高くかつ自局が送信しているセルが前記送信セル指定信号によって前記送信セルと指定されている場合に下り回線の送信を行い、当該受信品質が前記所定の品質しきい値よりも高くかつ自局が送信しているセルが前記送信セル指定信号によって前記送信セルと指定されていない場合に少なくとも前記下り回線の一部の送信を停止し、当該受信品質が前記所定の品質しきい値よりも低い場合に前記下り回線の送信を行う送信電力制御方法に用いることを特徴とする請求項１記載の品質しきい値設定方法。
【請求項３】
前記回線を設定した基地局における前記品質しきい値を、前記移動局の移動速度に応じて変化させることを特徴とする請求項２記載の品質しきい値設定方法。
【請求項４】
前記回線を設定した基地局における前記品質しきい値を、上り回線において送信される前記送信セル指定信号の信号長に応じて変化させることを特徴とする請求項２または請求項３記載の品質しきい値設定方法。
【請求項５】
前記送信セル指定信号に誤り訂正符号化を施し、
前記回線を設定した基地局における前記品質しきい値を、前記送信セル指定信号における誤り訂正の冗長度に応じて変化させることを特徴とする請求項２から請求項４のいずれか記載の品質しきい値設定方法。
【請求項６】
前記送信セル指定信号の単位時間当たりの送信ビット数を固定し、
前記回線を設定した基地局における前記品質しきい値を、前記送信セル指定信号を送信する信号周期の長さに応じて変化させることを特徴とする請求項２から請求項５のいずれか記載の品質しきい値設定方法。
【請求項７】
前記送信セル指定信号の送信周期を固定し、
前記回線を設定した基地局における前記品質しきい値を、前記送信セル指定信号の単位時間当たりの送信ビット数に応じて変化させることを特徴とする請求項２から請求項６のいずれか記載の品質しきい値設定方法。
【請求項８】
前記送信セル指定信号は、各セルに割当てられたセル識別子に対応したビット系列であり、
前記回線を設定した基地局における前記品質しきい値を、前記送信セル指定信号を判定する際の判定候補となるビット系列数に応じて変化させることを特徴とする請求項２から請求項７のいずれか記載の品質しきい値設定方法。
【請求項９】
前記回線を設定した基地局における前記品質しきい値を、下り回線の目標品質に応じて変化させることを特徴とする請求項２から請求項８のいずれか記載の品質しきい値設定方法。
【請求項１０】
前記品質しきい値Ｑthが上り回線の目標品質ＳＩＲとのマージンΔＤによって、
Ｑth＝ＳＩＲ−ΔＤ
という式にしたがって設定される送信電力制御方法において用いられ、
前記品質しきい値を決定するマージンΔＤを、上り回線の目標品質ＳＩＲに応じて変化させることを特徴とする請求項２から請求項９のいずれか記載の品質しきい値設定方法。
【請求項１１】
前記回線を設定した基地局における前記品質しきい値を、前記基地局が送信を行っているハンドオーバ中のセル数に応じて変化させることを特徴とする請求項２から請求項１０のいずれか記載の品質しきい値設定方法。
【請求項１２】
前記移動局において送信セルが前記共通パイロット信号の受信品質が最大であるセル及びそのセルとの受信品質の差が所定の送信セル選択しきい値以内であるセルとする送信電力制御方式に用いられ、
前記回線を設定した基地局における前記品質しきい値を、前記送信セル選択しきい値に応じて変化させることを特徴とする請求項２から請求項１１のいずれか記載の品質しきい値設定方法。
【請求項１３】
前記移動局において、前記共通パイロット信号の受信品質が大きい順に所定の送信セル数だけ送信セルを選択する送信電力制御方法に用いられ、
前記回線を設定した基地局における前記品質しきい値を、前記送信セル数に応じて変化させることを特徴とする請求項２から請求項１２のいずれか記載の品質しきい値設定方法。
【請求項１４】
前記品質しきい値及び前記品質しきい値を決定するマージンΔＤのうちの少なくとも一方の設定を行う通信制御装置を、前記回線を設定している基地局が接続されている無線ネットワーク制御装置内に設置することを特徴とする請求項１から請求項１３のいずれか記載の品質しきい値設定方法。
【請求項１５】
前記品質しきい値及び前記品質しきい値を決定するマージンΔＤのうちの少なくとも一方の設定を行う通信制御装置を、前記基地局各々に対応して設置することを特徴とする請求項１から請求項１３のいずれか記載の品質しきい値設定方法。
【請求項１６】
１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムにおいて前記基地局を制御するための通信制御装置であって、
前記基地局と前記移動局との間の伝搬環境に応じて品質しきい値を変化させる手段を有することを特徴とする通信制御装置。
【請求項１７】
前記移動局が、前記共通パイロット信号の受信品質の測定結果に応じて回線を設定しているセルから１以上の送信セルを決定し、上り回線において前記送信セルを指定する送信セル指定信号を送信し、
前記回線を設定した基地局が、受信した前記送信セル指定信号の受信品質を測定し、当該受信品質が予め設定された所定の品質しきい値よりも高くかつ自局が送信しているセルが前記送信セル指定信号によって前記送信セルと指定されている場合に下り回線の送信を行い、当該受信品質が前記所定の品質しきい値よりも高くかつ自局が送信しているセルが前記送信セル指定信号によって前記送信セルと指定されていない場合に少なくとも前記下り回線の一部の送信を停止し、当該受信品質が前記所定の品質しきい値よりも低い場合に前記下り回線の送信を行う送信電力制御方法に用いることを特徴とする請求項１６記載の通信制御装置。
【請求項１８】
前記回線を設定した基地局における前記品質しきい値を、移動局の移動速度に応じて制御することを特徴とする請求項１７記載の通信制御装置。
【請求項１９】
前記回線を設定した基地局における前記品質しきい値を、上り回線において送信される前記送信セル指定信号の信号長に応じて制御することを特徴とする請求項１７または請求項１８のいずれか記載の通信制御装置。
【請求項２０】
前記送信セル指定信号に誤り訂正符号化を施し、
前記回線を設定した基地局における前記品質しきい値を、前記送信セル指定信号における誤り訂正の冗長度に応じて制御することを特徴とする請求項１７から請求項１９のいずれか記載の通信制御装置。
【請求項２１】
前記送信セル指定信号の単位時間当たりの送信ビット数を固定し、
前記回線を設定した基地局における前記品質しきい値を、前記送信セル指定信号を送信する信号周期の長さに応じて制御することを特徴とする請求項１７から請求項２０のいずれか記載の通信制御装置。
【請求項２２】
前記送信セル指定信号の送信周期を固定し、
前記回線を設定した基地局における前記品質しきい値を、前記送信セル指定信号の単位時間当たりの送信ビット数に応じて制御することを特徴とする請求項１７から請求項２１のいずれか記載の通信制御装置。
【請求項２３】
前記送信セル指定信号が、各セルに割当てられたセル識別子に対応したビット系列であり、
前記回線を設定した基地局における前記品質しきい値を、前記送信セル指定信号を判定する際の判定候補となるビット系列数に応じて制御することを特徴とする請求項１７から請求項２２のいずれか記載の通信制御装置。
【請求項２４】
前記回線を設定した基地局における前記品質しきい値を、下り回線の目標品質に応じて制御することを特徴とする請求項１７から請求項２３のいずれか記載の通信制御装置。
【請求項２５】
前記品質しきい値Ｑthを、上り回線の目標品質ＳＩＲに対するマージンΔＤによって、
Ｑth＝ＳＩＲ−ΔＤ
という式で決定し、前記回線を設定した基地局における前記品質しきい値におけるマージンΔＤを、上り回線の目標品質ＳＩＲに応じて制御することを特徴とする請求項１７から請求項２４のいずれか記載の通信制御装置。
【請求項２６】
前記回線を設定した基地局における前記品質しきい値を、前記基地局が送信を行っているハンドオーバ中のセル数に応じて制御することを特徴とする請求項１７から請求項２５のいずれか記載の通信制御装置。
【請求項２７】
前記移動局において、送信セルが前記共通パイロット信号の受信品質が最大であるセル及びそのセルとの受信品質の差が所定の送信セル選択しきい値以内であるセルとし、
前記回線を設定した基地局における前記品質しきい値を、前記送信セル選択しきい値に応じて制御することを特徴とする請求項１７から請求項２６のいずれか記載の通信制御装置。
【請求項２８】
前記移動局において、前記共通パイロット信号の受信品質が大きい順に所定の送信セル数だけ送信セルを選択し、
前記回線を設定した基地局における前記品質しきい値を、前記送信セル数に応じて制御することを特徴とする請求項１７から請求項２７のいずれか記載の通信制御装置。
【請求項２９】
前記品質しきい値を、前記送信セル数が大きいほど、小さい値に設定することを特徴とする請求項１７から請求項２８のいずれか記載の通信制御装置。
【請求項３０】
前記回線を設定している基地局が接続されている無線ネットワーク制御装置内に設置したことを特徴とする請求項１６から請求項２９のいずれか記載の通信制御装置。
【請求項３１】
前記基地局各々に対応して設置したことを特徴とする請求項１６から請求項２９のいずれか記載の通信制御装置。
【発明の詳細な説明】
【技術分野】
【０００１】
本発明は品質しきい値設定方法及びそれを用いた通信制御装置に関し、特にＤＳ−ＣＤＭＡ（Ｄｉｒｅｃｔ  Ｓｐｒｅａｄ−Ｃｏｄｅ  Ｄｉｖｉｓｉｏｎ  Ｍｕｌｔｉｐｌｅ  Ａｃｃｅｓｓ：直接拡散符号分割多重接続）方式を用いたセルラシステムにおける品質しきい値の設定方法に関する。
【背景技術】
【０００２】
従来、ＤＳ−ＣＤＭＡ方式を用いたセルラシステムにおいては、複数のチャネルで同じ周波数帯を使用するため、他のチャネルの電波が干渉となり、干渉が増加すると、希望波の受信品質が劣化し、回線の切断等が生じる。
【０００３】
したがって、所要の受信品質を保ちつつ通信を行える回線数、すなわち回線容量は干渉の量に依存する。上り回線においては、基地局から遠くに位置する移動局の送信する信号が希望局の近くに位置する移動局の送信する信号より電力の減衰する割合が大きいため、同じ電力で送信を行うと、干渉波が希望波より大きくなり、通信が困難となる遠近効果が生じる。
【０００４】
よって、上り回線においては、基地局において受信する各移動局からの信号が同等な受信電力となるよう、各移動局の送信電力を制御する送信電力制御が必須技術である。
【０００５】
一方、下り回線においては、このような遠近効果は生じないが、他のチャネルへの干渉を低減するために、移動局での受信品質が所要品質を保てる必要最低限の送信電力となるように、基地局における送信電力制御を行っている。各送信電力制御は閉ループ型の制御を行っており、測定した受信品質を所定の目標品質と比較して、目標品質よりも高ければ送信電力を下げるよう指示するＴＰＣ（Ｔｒａｎｓｍｉｔ  Ｐｏｗｅｒ  Ｃｏｎｔｒｏｌ；送信電力制御）信号を送信し、目標品質よりも低ければ送信電力を上げるよう指示するＴＰＣ信号を送信する。
【０００６】
また、通常、ＣＤＭＡを用いたセルラシステムでは、ソフトハンドオーバという技術が用いられる。これは、移動局がセル境界付近に近づき、通信中の基地局から受信する信号と、隣接する基地局から受信する信号との伝搬損の差が所定のしきい値内となった場合に、移動局をそれらの基地局に同時に接続し、複数の基地局から送信を行うものである。
【０００７】
これによって、伝搬損が大きく、受信品質が劣化しやすいセル境界付近においても、複数の基地局から送信することによるダイバーシチ効果によって受信品質を向上させ、通信中の基地局との回線を切断する前に、次の接続候補である基地局との回線を設定しておくため、瞬断なく、スムーズなハンドオーバを行うことができる。
【０００８】
しかしながら、下り回線においては、ソフトハンドオーバ中、複数の基地局が送信を行うため、干渉が増加し、回線容量が減少するという問題がある。このような問題を解決するために、ソフトハンドオーバ中の基地局群から送信を行う基地局を限定し、下り回線の干渉を減少させる技術が下記の特許文献１に開示されている。
【０００９】
これは基地局が所定の電力で共通パイロット信号を送信し、無線ネットワーク制御装置が移動局との間で回線を設定した各々の基地局に基地局識別子を割当て、移動局が回線を設定している基地局が送信している共通パイロット信号の受信品質を測定し、受信品質の高い基地局を、送信する基地局（送信基地局）と決定し、上り回線において送信基地局の基地局識別子を示す信号［以下、ＣＷ（Ｃｏｄｅ  Ｗｏｒｄ）とする］を制御信号に多重化して送信するものである。
【００１０】
各回線を設定した基地局では、受信したＣＷが自局の基地局識別子を示している場合に下り回線の送信を行い、それ以外の基地局は送信を停止する。これによって、伝搬損の小さい基地局のみに送信を行わせることができるため、下り回線の干渉が減少し、回線容量の増加が見込まれる。
【００１１】
この技術では送信基地局と指定された基地局で受信したＣＷの受信品質が劣化し、ＣＷの受信誤りが生じた場合、自局が送信基地局であるにも関わらず非送信基地局であると判断し、送信を停止してしまう場合がある。
【００１２】
この送信停止を防ぐために、「３Ｇ  ＴＳ  ２５．２１４  ｖ３．９．０（２００１−０１２）  ３rd  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｌａｙｅｒ  ｐｒｏｃｅｄｕｒｅｓ（ＦＤＤ），ｐｐ．２５，５．２．１．４」による送信電力制御では、ＣＷの受信品質に対するしきい値に品質しきい値Ｑthという値を用いる。
【００１３】
すなわち、回線を設定した基地局は受信したＣＷの受信品質が品質しきい値Ｑthよりも低い場合に、受信したＣＷに従わず、常に自局を送信基地局と判断し、下り回線の送信を行うようにする。これによって、送信基地局と指定された基地局において受信したＣＷが劣化していたために誤って非送信基地局と判断し、下り回線の送信を停止することによる下り回線の劣化を防ぐことができる。
【特許文献１】特開平１１−６９４１６号公報
【発明の開示】
【発明が解決しようとする課題】
【００１４】
しかしながら、上述した従来の技術では、自局が非送信基地局である場合にも、ＣＷの受信品質が品質しきい値Ｑthよりも低い場合に、自局を送信基地局と判断して下り回線の送信を行ってしまう。
【００１５】
一般に、上り回線で受信品質が劣化する基地局は、下り回線においても伝搬損は大きくなっている可能性が高く、したがって、ＣＷの受信品質が劣化する基地局は非送信基地局である確率が高い。このため、品質しきい値Ｑthを高い値に設定しておくと、非送信基地局となるような基地局ではＣＷの受信品質が品質しきい値Ｑthを満たせず、このような伝搬損の大きい基地局も下り回線の送信を行うため、干渉が増加して回線容量が減少する。
【００１６】
ところが、上り回線と下り回線とのフェージング変動は異なるため、下り回線において伝搬損が小さく、移動局が送信基地局と決定した基地局でも、上り回線で送信されるＣＷの受信品質が劣化している場合もある。よって、品質しきい値Ｑthを低い値に設定しておくと、送信基地局と指定した基地局でのＣＷの受信誤りによって、下り回線の送信を停止してしまう確率が大きくなり、下り回線が劣化して回線容量が減少する。
【００１７】
すなわち、品質しきい値Ｑthの値は非送信基地局の送信による下り回線の干渉増加と、送信基地局の送信停止による下り回線の劣化とのトレードオフ関係にあり、その最適な値は伝搬環境、つまり各回線を設定した基地局におけるＣＷの受信品質や受信誤り率等によって異なるという問題がある。
【００１８】
例えば、最適な品質しきい値Ｑthの値に影響を及ぼす伝搬環境として移動局の移動速度を例にとり、図２１及び図２２を用いて説明する。図２１に示すように、送信基地局の選択周期に対してフェージングによる受信レベル変動の周期が低いような移動局の速度が遅い場合には、下り回線において受信品質が最も良く送信セルと選択されたセル（セルＡ）でも、上りのフェージングが下りと無相関であるため、上り回線の品質が低くなっている確率が大きい。したがって、このような場合には送信基地局がＣＷの受信誤りを生じる確率が高くなるため、品質しきい値Ｑthは高い値に設定しておくほうがよい。
【００１９】
一方、図２２に示すように、送信基地局の選択周期に対してフェージングによる受信レベル変動の周期が高い場合には、送信基地局の選択周期間で平均して受信レベルの高いセル（セルＡ）が送信セルと決定され、上り回線において送信されるＣＷもフェージング変動が平均化された受信レベルとなるため、上下回線のフェージング変動の無相関による影響は小さい。
【００２０】
したがって、下り回線で伝搬損の小さい送信基地局では、上り回線におけるＣＷの受信品質も高いため、送信基地局における受信品質の劣化する割合は小さく、非送信基地局の受信品質が劣化する割合が大きい。よって、このような場合には品質しきい値Ｑthを低い値に設定し、非送信基地局が品質しきい値Ｑth以下の品質となって下り回線の送信を行ってしまう確率を小さくするようにしたほうがよい。このように、最適な品質しきい値Ｑthの値は移動速度によって異なる。
【００２１】
そこで、本発明の目的は上記の問題点を解消し、下り回線の回線容量を増加させることができる品質しきい値設定方法及びそれを用いた通信制御装置を提供することにある。
【課題を解決するための手段】
【００２２】
本発明による品質しきい値設定方法は、１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムの品質しきい値設定方法であって、
前記基地局と前記移動局との間の伝搬環境に応じて品質しきい値を変化させるステップを備えている。
【００２３】
本発明による通信制御装置は、１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムにおいて前記基地局を制御するための通信制御装置であって、
前記基地局と前記移動局との間の伝搬環境に応じて品質しきい値を変化させる手段を備えている。
【００２４】
すなわち、本発明の品質しきい値設定方法は、１以上のセルに対して所定の電力で共通パイロット信号を送信する基地局と、１以上のセルにおいて基地局との回線を設定しかつ基地局から送信される共通パイロット信号の受信品質を測定する移動局とからなる移動通信システムにおける品質しきい値の設定に関するものである。
【００２５】
この移動通信システムにおいて、移動局は上記の測定結果に応じて回線を設定しているセルから１以上の送信セルを決定し、その送信セルを指定する送信セル指定信号を上り回線において送信する。回線が設定された基地局は受信した送信セル指定信号の受信品質を測定し、その受信品質が所定の品質しきい値よりも高い場合、自局が送信しているセルが送信セル指定信号によって送信セルと指定されていれば、下り回線の送信を行い、それ以外であれば、下り回線において少なくともその一部の送信を停止する。また、当該基地局は送信セル指定信号の受信品質が所定の品質しきい値よりも低い場合、送信セル指定信号の指定内容にかかわらず、下り回線の送信を行う。
【００２６】
本発明の品質しきい値設定方法では、上記のような送信電力制御方法に用いられる際に、伝搬環境等に応じて品質しきい値を変化させるようにしている。これによって、本発明の品質しきい値設定方法では、送信基地局が送信を停止する確率を低減しつつ、非送信基地局が送信を行う割合を減少させることで、下り回線の回線容量を増加させることが可能となる。
【００２７】
また、本発明の通信制御装置は、１以上のセルに対して所定の電力で共通パイロット信号を送信する基地局と、１以上のセルにおいて基地局との回線を設定しかつ基地局から送信される共通パイロット信号の受信品質を測定する移動局とからなる移動通信システムに用いられるものである。
【００２８】
この移動通信システムにおいて、移動局は上記の測定結果に応じて回線を設定しているセルから１以上の送信セルを決定し、その送信セルを指定する送信セル指定信号を上り回線において送信する。回線が設定された基地局は受信した送信セル指定信号の受信品質を測定し、その受信品質が所定の品質しきい値よりも高い場合、自局が送信しているセルが送信セル指定信号によって送信セルと指定されていれば、下り回線の送信を行い、それ以外であれば、下り回線において少なくともその一部の送信を停止する。また、当該基地局は送信セル指定信号の受信品質が所定の品質しきい値よりも低い場合、送信セル指定信号の指定内容にかかわらず、下り回線の送信を行う。
【００２９】
本発明の通信制御装置は、上記のような送信電力制御が行われるような基地局を、伝搬環境に応じて品質しきい値を変化させるように制御する。これによって、本発明の通信制御装置では、各回線を設定した基地局における品質しきい値の値を伝搬環境等に応じて制御し、送信基地局が送信を停止する確率を低減しつつ、非送信基地局が下り回線の送信を行う割合を減少させることで、下り回線の回線容量を増加させることが可能となる。
【発明の効果】
【００３０】
本発明は、上記のような構成及び動作とすることで、下り回線の回線容量を増加させることができるという効果が得られる。
【発明を実施するための最良の形態】
【００３１】
次に、本発明の実施例について図面を参照して説明する。図１は本発明の第１の実施例による移動通信システムの構成を示すブロック図である。図１において、本発明の第１の実施例による移動通信システムは、ＤＳ−ＣＤＭＡ（Ｄｉｒｅｃｔ  Ｓｐｒｅａｄ−Ｃｏｄｅ  Ｄｉｖｉｓｉｏｎ  Ｍｕｌｔｉｐｌｅ  Ａｃｃｅｓｓ：直接拡散符号分割多重接続）方式を用いたセルラシステムである。
【００３２】
このセルラシステムにおいて、移動局２−１〜２−３は１以上（１または複数）のセルにおいて基地局１−１〜１−３と回線を設定しており、回線を設定した基地局１−１〜１−３が各セルに対して送信する共通パイロット信号の受信レベルを測定し、当該結果に応じて、１以上の送信を行う送信セルを決定し、上り回線において送信セル指定信号を送信し、回線を設定した基地局１−１〜１−３へ通知する。
【００３３】
回線を設定した基地局１−１〜１−３では送信セル指定信号を受信し、自局の送信しているセルが送信セルと指定されている場合にそのセルに対する下り回線の送信を行い、自局が送信しているセルが送信セルと指定されていない場合（非送信セル）にそのセルに対する下り回線の少なくとも一部の送信を停止している。
【００３４】
ここで、基地局１−１〜１−３はそれぞれ３つのセル２０１〜２０３，２０４〜２０６，２０７〜２０８各々に対して指向性を持った電波を送信し、セル範囲内にいる移動局２−１〜２−３と通信を行うことができ、移動局２−１〜２−３は各々の位置するセルに対して送信を行う基地局１−１〜１−３と回線を設定している。
【００３５】
各基地局１−１〜１−３は無線ネットワーク制御装置３に接続されており、無線ネットワーク制御装置３には通信に必要なパラメータ設定を行う通信制御装置３１が設置されている。
【００３６】
各基地局１−１〜１−３は各セル内の全ての移動局２−１〜２−３を対象とした所定電力値の共通パイロット信号と、各々の移動局２−１〜２−３を対象とした個別信号とを送信し、移動局２−１〜２−３は回線を設定した基地局１−１〜１−３に対し、個別信号を送信している。それらの送信電力値は高速閉ループ型の送信電力制御によって制御されている。
【００３７】
移動局２−１〜２−３は各セルに対して基地局１−１〜１−３が送信している共通パイロット信号の受信レベルを測定し、受信レベルが最大であるセルと、その最大受信レベルとの差が、所定のしきい値以内となるセルにおいて回線を設定する。
【００３８】
移動局２−１〜２−３に対して複数のセルにおける回線を通して送信される場合、すなわちソフトハンドオーバ状態の場合、無線ネットワーク制御装置３は送信が行われる各セルを識別するためのセル識別子を割当て、それらのセルに送信を行う基地局１−１〜１−３並びに移動局２−１〜２−３にセル識別子を通知する。
【００３９】
移動局２−１〜２−３では周期的に共通パイロット信号の受信レベルが大きいセルを所定の条件に基づいて選択し、送信セルとして決定する。その後、移動局２−１〜２−３は上り回線の個別制御信号において送信セルのセル識別子を送信し、各回線を設定した基地局１−１〜１−３に通知する。
【００４０】
セル２０１の中心付近に位置する移動局２−１は基地局１−１がセル２０１において送信している共通パイロット信号の受信レベルが最良であり、かつ他のセルに対して送信されている共通パイロット信号の受信レベルが、最良である受信レベルとの差が所定のしきい値以上となっているため、基地局１−１とのみ回線を設定し、セル２０１における回線を通して送信を受けている。
【００４１】
また、移動局２−２はセル２０３，２０４，２０７の境界付近に位置しており、それらに対して基地局１−１〜１−３が送信している共通パイロット信号の受信レベルの差が、所定のしきい値以内となっているため、複数の回線を同時に設定しており、いわゆるソフトハンドオーバ状態にある。
【００４２】
しかしながら、セル２０７に対して送信されている共通パイロット信号の受信品質は所定の送信セルを決定する条件を満たしていないため、セル２０３，２０４のみが送信セルとなり、基地局１−１，１−２は各々のセルにおいて移動局２−２に対して個別信号の送信を行い、基地局１−３はセル２０７における回線に対する個別信号の送信を停止している。
【００４３】
さらに、移動局２−３はセル２０７，２０８の境界付近に位置しており、それらに対して基地局１−３が送信している共通パイロット信号の受信レベルの差が所定のしきい値以内となっているため、基地局１−３と複数の回線を設定しており、いわゆるソフタハンドオーバ状態（複数の基地局との間で回線を設定しているソフトハンドオーバ状態とは異なる）にある。セル２０８に対して送信されている共通パイロット信号の受信品質は所定の送信セル決定の条件を満たしていないため、移動局２−３はセル２０７のみを送信セルと指定するが、セル２０８におけるＣＷ（Ｃｏｄｅ  Ｗｏｒｄ）（上り回線において送信基地局の基地局識別子を示す信号）の受信品質が所定の品質しきい値Ｑthと比べて低いため、基地局１−３もセル２０８において移動局２−３に対して個別信号を送信している。
【００４４】
図２は図１の基地局１−１〜１−３の構成を示すブロック図である。図２において、基地局１−１〜１−３は移動局２−１〜２−３から送信される無線信号を受信する受信アンテナ１１と、送受共用器（ＤＵＰ）１２と、無線信号を受信ベースバンド信号に変換する無線受信部（Ｒｘ）１３と、ベース信号を合成するＲＡＫＥ受信機１４と、デマルチプレクサ（ＤＭＵＸ）１５と、デマルチプレクサ１５で分離された信号の受信品質を測定する受信品質測定部１６と、ＣＷによって指定された送信セルのセル識別子にしたがって自局の送信電力を制御する送信電力制御部１７と、マルチプレクサ（ＭＵＸ）１８と、送信ベース信号を出力する拡散回路１９と、送信ベース信号を無線信号に変換して送信する無線送信部（Ｔｘ）２０とから構成されている。
【００４５】
受信品質測定部１６はデマルチプレクサ１５で分離されたＣＷを含んだ信号の受信品質を測定し、無線ネットワーク制御装置３から通知された品質しきい値Ｑthと比較し、その結果を送信電力制御部１７に通知する。
【００４６】
送信電力制御部１７は受信した信号の品質が品質しきい値Ｑthよりも低い場合、受信したＣＷの結果によらず通常の高速閉ループ送信電力制御にしたがった送信電力値で送信を行う。送信電力制御部１７は受信した信号の受信品質が品質しきい値Ｑthよりも高い場合、ＣＷで指定されたセル識別子にしたがって、自局のセルが送信セルと指定されていれば、そのセルにおける回線に対して通常の高速閉ループ送信電力制御にしたがった送信電力値で送信を行い、自局のセルで送信セルと指定されていないセルにおける回線に対して、送信電力を所定の最小送信電力値へと切替える。
【００４７】
図３は図１の無線ネットワーク制御装置３の構成を示すブロック図である。図４において、無線ネットワーク制御装置３は受信処理部３２と、基地局１−１〜１−３の送受信に関する各種制御を行う制御部３３と、各種パラメータ設定を行う通信制御装置３１と、送信処理部３４とから構成されている。
【００４８】
通信制御装置３１はＣＷ長情報抽出部３１１と受信品質しきい値設定部３１２とから構成されている。ＣＷ長情報抽出部３１１では上り回線において送信されるＣＷのビット系列の長さ（ＣＷ長）に関する情報を抽出し、受信品質しきい値設定部３１２に通知する。この時、受信品質しきい値設定部３１２では通知されたＣＷ長が大きいほど、品質しきい値Ｑthを小さく設定するようにする。決定した品質しきい値Ｑthは基地局１−１〜１−３に送信する出力信号に多重化して基地局１−１〜１−３へと通知される。
【００４９】
図４は図１の基地局１−１〜１−３の動作を示すフローチャートである。これら図１〜図４を参照して本発明の第１の実施例による基地局１−１〜１−３の動作について説明する。
【００５０】
基地局１−１〜１−３は所定のＣＷ受信タイミングである場合（図４ステップＳ１）、移動局２−１〜２−３から送信されるＣＷ受信し、その受信品質を受信品質測定部１６で測定する（図４ステップＳ２）。受信品質測定部１６は測定した受信品質を無線ネットワーク制御装置３から通知された品質しきい値Ｑthと比較し（図４ステップＳ３）、その比較結果を送信電力制御部１７に通知する。
【００５１】
送信電力制御部１７はＣＷの受信品質が品質しきい値Ｑthよりも低い場合（図４ステップＳ３）、移動局２−１〜２−３と回線を設定しているセルに対して通常の高速閉ループ制御によって送信電力制御された電力値で下り回線の個別信号の送信を行う（図４ステップＳ４）。
【００５２】
送信電力制御部１７はＣＷの受信品質が品質しきい値Ｑthよりも高い場合（図４ステップＳ３）、ＣＷで指定されたセル識別子を判定し（図４ステップＳ５）、判定したセル識別子が自局から送信を行っているセルであれば（図４ステップＳ６）、通常の高速閉ループ制御によって送信電力制御された電力値で下り回線の個別信号の送信を行う（図４ステップＳ７）。
【００５３】
送信電力制御部１７は判定したセル識別子が自局から送信を行っているセルでなければ（図４ステップＳ６）、下り回線の送信電力を所定の最低送信電力値に切替える（図４ステップＳ８）。基地局１−１〜１−３ではこの送信電力制御を移動局２−１〜２−３がハンドオーバしている間、周期的に行う。
【００５４】
図５は図３の通信制御装置３１の動作を示すフローチャートである。これら図３及び図５を参照して本発明の第１の実施例による通信制御装置３１の動作について説明する。
【００５５】
通信制御装置３１は上り回線で送信されるＣＷのビット系列の長さ（ＣＷ長）が新たに設定された時（図５ステップＳ１１）、ＣＷ長情報抽出部３１１にてＣＷ長に関する情報を抽出し（図５ステップＳ１２）、受信品質しきい値設定部３１２に通知する。
【００５６】
受信品質しきい値設定部３１２はＣＷ長情報抽出部３１１から通知されてきたＣＷ長が所定のＣＷ長しきい値Ｎthよりも大きい（品質が悪い）場合（図５ステップＳ１３）、品質しきい値ＱthをＱlow に設定する（図５ステップＳ１４）。また、受信品質しきい値設定部３１２はＣＷ長情報抽出部３１１から通知されてきたＣＷ長が所定のＣＷ長しきい値Ｎthよりも小さい（品質が良い）場合（図５ステップＳ１３）、品質しきい値ＱthをＱhighに設定する（図５ステップＳ１５）。この時、Ｑlow ＜Ｑhighとする。
【００５７】
受信品質しきい値設定部３１２で設定された品質しきい値Ｑthは基地局１−１〜１−３へ出力する信号に多重化し、基地局１−１〜１−３へ通知される（図５ステップＳ１６）。
【００５８】
次に、本実施例の作用について説明する。ＣＷを構成するビット系列の長さ（ビット数）が短く、各ＣＷ間の最小距離が小さい場合には、受信品質が低く、ビットの誤りが生じた場合に誤って他のＣＷに判定する確率が高くなる。すなわち、同じＣＷの受信品質であっても、ＣＷ長が短いほど、ＣＷの受信誤り率は高くなる。本実施例ではＣＷ長を短く設定された場合、品質しきい値Ｑthを高くし、ＣＷ長が長く設定された場合、品質しきい値Ｑthを低く設定することを可能とする。
【００５９】
このため、ＣＷ長が長く、受信品質が低くても、ＣＷの受信誤りが生じにくい場合には品質しきい値Ｑthを小さくし、非送信セルが品質しきい値Ｑth以下となり、下り回線の送信を行うことによる干渉を低減することができる。また、ＣＷ長が短く、受信品質Ｑthが高くても、ＣＷの受信誤りが生じやすい場合には、品質しきい値Ｑthを高くし、送信セルが受信誤りによって下り回線の送信を停止することによる下り回線の品質劣化を抑制することができる。よって、本実施例ではＣＷ長に応じて下り回線の劣化や干渉を低減することができるので、下り回線の回線容量を増加させることができる。
【００６０】
図６は本発明の第２の実施例による移動通信システムの構成を示すブロック図である。図６において、本発明の第２の実施例による移動通信システムは、通信制御装置４１−１〜４１−３を各基地局１−１〜１−３に設置した以外は図１に示す本発明の第１の実施例による移動通信システムと同様の構成となっており、同一構成要素には同一符号を付してある。また、同一構成要素の動作は本発明の第１の実施例と同様である。
【００６１】
図７は図６の基地局１−１〜１−３の構成を示すブロック図である。図７において、基地局１−１〜１−３は通信制御装置４１を含む以外は図２に示す本発明の第１の実施例による基地局１−１〜１−３と同様の構成となっており、同一構成要素には同一符号を付してある。また、同一構成要素の動作は本発明の第１の実施例と同様である。図７においては通信制御装置４を基地局１−１〜１−３の内部に配置しているが、通信制御装置４１，４１−１〜４１−３は基地局１−１〜１−３に対応していればよく、図６に示すように、基地局１−１〜１−３の外部に配置してもよい。
【００６２】
通信制御装置４１はＣＷ長情報抽出部４１１と、品質しきい値設定部４１２とを備えている。ＣＷ長情報抽出部４１１は上り回線において送信されるＣＷのビット系列の長さ（ＣＷ長）に関する情報を抽出し、その情報を受信品質しきい値設定部４１２に通知する。受信品質しきい値設定部４１２はＣＷ長に応じて品質しきい値を決定し、受信品質測定部１６に通知する。この時、品質しきい値設定部４１２は通知されたＣＷ長が大きいほど、品質しきい値の値を小さく設定するようにしている。
【００６３】
図８は本発明の第２の実施例による基地局１−１〜１−３の動作を示すフローチャートである。これら図６〜図８を参照して本発明の第２の実施例による基地局１−１〜１−３の動作について説明する。
【００６４】
基地局１−１〜１−３に対応する通信制御装置４１のＣＷ長情報抽出部４１１は上り回線で送信されるＣＷのビット系列の長さ（ＣＷ長）が新たに設定された時（図８ステップＳ２１）、ＣＷ長に関する情報を抽出し（図８ステップＳ２２）、その情報を受信品質しきい値設定部４１２に通知する。
【００６５】
受信品質しきい値設定部４１２はＣＷ長情報抽出部４１１から通知されてきたＣＷ長が所定のＣＷ長しきい値Ｎthよりも小さい場合（図８ステップＳ２３）、品質しきい値ＱthをＱhighに設定する（図８ステップＳ２４）。また、受信品質しきい値設定部４１２はＣＷ長情報抽出部４１１から通知されてきたＣＷ長が所定のＣＷ長しきい値Ｃthよりも大きい場合（図８ステップＳ２３）、品質しきい値ＱTHをＱlow に設定する（図８ステップＳ２５）。この時、Ｑlow ＜Ｑhighとする。
【００６６】
受信品質しきい値設定部４１２で決定された品質しきい値Ｑthは受信品質測定部１６に通知される（図８ステップＳ２６）。受信品質測定部１６は所定のＣＷ送信タイミングであれば（図８ステップＳ２７）、移動局２−１〜２−３から送信されるＣＷを受信し、その受信品質を測定する（図８ステップＳ２８）。受信品質測定部１６は測定した受信品質を品質しきい値Ｑthと比較し（図８ステップＳ２９）、その比較結果を送信電力制御部１７に通知する。
【００６７】
送信電力制御部１７はＣＷの受信品質が品質しきい値Ｑthよりも低い場合（図８ステップＳ２９）、移動局２−１〜２−３と回線を設定しているセルに対して通常の高速閉ループ制御によって送信電力制御された電力値で下り回線の個別信号の送信を行う（図８ステップＳ３０）。
【００６８】
送信電力制御部１７はＣＷの受信品質が品質しきい値Ｑthよりも高い場合（図８ステップＳ２９）、ＣＷで指定されたセル識別子を判定し（図８ステップＳ３１）、判定したセル識別子が自局が送信を行っているセルであれば（図８ステップＳ３２）、通常の高速閉ループ制御によって送信電力制御された電力値で下り回線の個別信号の送信を行う（図８ステップＳ３３）。
【００６９】
送信電力制御部１７は判定したセル識別子が自局が送信を行っているセルでなければ（図８ステップＳ３２）、下り回線の送信電力を所定の最低送信電力値に切替える（図８ステップＳ３４）。基地局１−１〜１−３ではこの送信電力制御を移動局２−１〜２−３がハンドオーバしている間、周期的に行う。
【００７０】
本発明の第１の実施例がＣＷ長情報から無線ネットワーク制御装置３の通信制御装置３１が品質しきい値を決定して基地局１−１〜１−３に通知しているのに対し、本実施例はＣＷ長から基地局１−１〜１−３が品質しきい値を決定している点で本発明の第１の実施例と異なる。
【００７１】
本実施例の作用は本発明の第１の実施例と同様であり、ＣＷ長に応じて品質しきい値Ｑthの設定ができるようになるため、送信セルがＣＷの受信誤りによって下り回線の送信を停止する確率をできるだけ低減しつつ、非送信セルのＣＷ受信品質が品質しきい値Ｑth以下となり、下り回線の送信を行うことによる干渉を低減することが可能となり、下り回線の回線容量を増加させることができる。
【００７２】
図９は本発明の第３の実施例による無線ネットワーク制御装置の構成を示すブロック図である。図９において、本発明の第３の実施例による無線ネットワーク制御装置は速度情報抽出部５１１と受信品質しきい値設定部５１２とを持つ通信制御装置５１を設けた以外は図３に示す本発明の第１の実施例と同様の構成となっており、同一構成要素には同一符号を付してある。また、同一構成要素の動作は本発明の第１の実施例と同様である。尚、本発明の第３の実施例はそのシステム構成が図１に示す本発明の第１の実施例によるセルラシステムの構成と同様であり、本発明の第３の実施例による基地局は図２に示す本発明の第１の実施例による基地局１−１〜１−３の構成と同様である。
【００７３】
速度情報抽出部５１１は移動局２−１〜２−３が受信電界強度変動からフェージングピッチを計算して推定した移動速度に関する情報を抽出し、受信品質しきい値設定部５１２に通知する。受信品質しきい値設定部５１２は通知された移動速度に応じて品質しきい値を決定し、基地局１−１〜１−３へ出力する信号に多重する。この時、受信品質しきい値設定部５１２では通知された移動速度が速いほど、品質しきい値の値を小さく設定するようにする。設定した品質しきい値Ｑthの値は、基地局１−１〜１−３に送信する出力信号に多重化して基地局１−１〜１−３へ通知される。
【００７４】
図１０は図９の通信制御装置５１の動作を示すフローチャートである。これら図１と図２と図９と図１０とを参照して本発明の第３の実施例による通信制御装置５１の動作について説明する。
【００７５】
通信制御装置５１の速度情報抽出部５１１は所定の移動速度情報通知タイミングである時（図１０ステップＳ４１）、移動局２−１〜２−３が送信する移動速度情報を抽出し（図１０ステップＳ４２）、その情報を受信品質しきい値設定部５１２に通知する。
【００７６】
受信品質しきい値設定部５１２は速度情報抽出部５１１から通知されてきた移動速度が所定の速度しきい値Ｖthよりも低い場合（図１０ステップＳ４３）、品質しきい値ＱthをＱhighに設定する（図１０ステップＳ４４）。また、受信品質しきい値設定部５１２は速度情報抽出部５１１から通知されてきた移動速度が所定の速度しきい値Ｖthよりも高い場合（図１０ステップＳ４３）、品質しきい値ＱthをＱlow に設定する（図１０ステップＳ４５）。この時、Ｑlow ＜Ｑhighとする。
【００７７】
受信品質しきい値設定部５１２で決定された品質しきい値Ｑthは基地局１−１〜１−３へ出力する信号に多重化し、基地局１−１〜１−３へ通知される（図１０ステップＳ４６）。
【００７８】
本実施例は移動局２−１〜２−３の移動速度が遅い場合にＣＷの受信品質に対する品質しきい値Ｑthを高く設定し、移動局２−１〜２−３の移動速度が速い場合に品質しきい値Ｑthを低く設定することができる。
【００７９】
よって、上記の課題で述べたように、送信セル更新周期に対してフェージング変動周期が低く、下り回線において伝搬損が小さい送信セルでも上り回線の受信品質が劣化する確率の高い場合には、品質しきい値Ｑthを高めに設定することで、送信セルがＣＷの受信誤りを生じることによって下り回線の送信を停止する確率を低減することができ、下り回線の劣化を防ぐことができる。
【００８０】
また、送信セル更新周期に対してフェージング変動周期が高く、フェージング変動は平均化され、下り回線で伝搬損が小さい送信セルが上り回線においても受信品質の劣化が小さくなる確率が高い場合には、品質しきい値Ｑthを低めに設定することで、非送信セルのＣＷの受信品質が品質しきい値Ｑth以下となり、下り回線の送信を行ってしまう確率を低減することができ、下り回線の干渉を低減することができる。よって、本実施例では移動局２−１〜２−３の速度に応じて下り回線の劣化や干渉を低減することができるので、下り回線の回線容量を増加させることができる。
【００８１】
尚、本実施例では、速度情報抽出部５１１と受信品質しきい値設定部５１２とを備える通信制御装置５１を無線ネットワーク制御装置に備えているが、この通信制御装置５１を各基地局１−１〜１−３に備えるようにしてもよい。
【００８２】
図１１は本発明の第４の実施例による無線ネットワーク制御装置の構成を示すブロック図である。図１１において、本発明の第４の実施例による無線ネットワーク制御装置は下り回線目標ＦＥＲ（フレームエラーレート）情報抽出部６１１と受信品質しきい値設定部６１２とを持つ通信制御装置６１を設けた以外は図３に示す本発明の第１の実施例と同様の構成となっており、同一構成要素には同一符号を付してある。また、同一構成要素の動作は本発明の第１の実施例と同様である。尚、本発明の第４の実施例はそのシステム構成が図１に示す本発明の第１の実施例によるセルラシステムの構成と同様であり、本発明の第４の実施例による基地局は図２に示す本発明の第１の実施例による基地局１−１〜１−３の構成と同様である。
【００８３】
下り回線目標ＦＥＲ情報抽出部６１１は下り回線の目標ＦＥＲに関する情報を抽出し、受信品質しきい値設定部６１２に通知する。受信品質しきい値設定部６１２は通知された目標ＦＥＲに応じて品質しきい値を決定し、基地局１−１〜１−３へ出力する信号に多重する。この時、受信品質しきい値設定部６１２は通知された目標ＦＥＲが低いほど、品質しきい値Ｑthの値を小さく設定するようにする。設定した品質しきい値Ｑthの値は基地局１−１〜１−３に送信する出力信号に多重化して基地局１−１〜１−３へ通知される。
【００８４】
図１２は図１１の通信制御装置６１の動作を示すフローチャートである。これら図１と図２と図１１と図１２とを参照して本発明の第４の実施例による通信制御装置６１の動作について説明する。
【００８５】
通信制御装置６１の下り回線目標ＦＥＲ情報抽出部６１１は下り回線の目標ＦＥＲが新たに設定された時（図１２ステップＳ５１）、その目標ＦＥＲに関する情報を抽出し（図１２ステップＳ５２）、その情報を受信品質しきい値設定部６１２に通知する。
【００８６】
受信品質しきい値設定部６１２は下り回線目標ＦＥＲ情報抽出部６１１から通知されてきた目標ＦＥＲが所定のＦＥＲしきい値ＦＥＲthよりも高い（品質が悪い）場合（図１１ステップＳ５３）、品質しきい値ＱthをＱlow に設定する（図１１ステップＳ５４）。また、受信品質しきい値設定部６１２は下り回線目標ＦＥＲ情報抽出部６１１から通知されてきた目標ＦＥＲが所定のＦＥＲしきい値ＦＥＲthよりも低い（品質が良い）場合（図１１ステップＳ５３）、品質しきい値ＱthをＱhighに設定する（図１１ステップＳ５５）。この時、Ｑlow ＜Ｑhighとする。
【００８７】
受信品質しきい値設定部６１２で決定された品質しきい値Ｑthは基地局１−１〜１−３へ出力する信号に多重化し、基地局１−１〜１−３へ通知される（図１１ステップＳ５６）。
【００８８】
本実施例では下り回線の目標ＦＥＲが高い（品質が悪い）場合、上り回線で送信されるＣＷの受信品質しきい値を低く設定することで、非送信セルのＣＷ受信品質が劣化して品質しきい値以下となって下り回線の送信を行うことによる干渉を抑制することができる。また、本実施例では下り回線の目標ＦＥＲが低い（品質が良い）場合、ＣＷ受信品質の品質しきい値を高く設定することで、送信セルがＣＷの受信誤りを生じて送信を停止することによる下り回線の劣化を防ぐことができる。
【００８９】
特に、移動局２−１〜２−３によって選択された送信セルがただ１つであった場合、このセルにおいてＣＷ受信誤りを生じて送信を停止すると、その送信セルの送信時間を通してどの基地局１−１〜１−３も送信を行わない状態が生じる。よって、この送信時間がフレーム時間以上と設定されている場合には、送信セルが受信誤りを生じると必ずそのフレームは誤る。そのため、本実施例を用いることで、下りの目標ＦＥＲが高い場合には送信セルの受信誤りをできる限り低減させ、目標ＦＥＲが達成可能となる。
【００９０】
一方、下りの目標ＦＥＲが低い場合には、下りの目標ＦＥＲを達成しつつ、できる限り非送信基地局のＣＷ劣化による送信を低減し、下り回線の干渉を低減することが可能となる。よって、本実施例は下りの目標ＦＥＲを達成しつつ、できる限り下り回線の干渉を低減することができるので、下り回線の回線容量を増加させることができる。
【００９１】
尚、本実施例では下り回線目標ＦＥＲ情報抽出部６１１と受信品質しきい値設定部６１２とを備える通信制御装置６１を無線ネットワーク制御装置に備えているが、この通信制御装置６１を各基地局１−１〜１−３に備えるようにしてもよい。
【００９２】
図１３は本発明の第５の実施例による無線ネットワーク制御装置の構成を示すブロック図である。図１３において、本発明の第５の実施例による無線ネットワーク制御装置はハンドオーバセル情報抽出部７１１と受信品質しきい値設定部７１２とを持つ通信制御装置７１を設けた以外は図３に示す本発明の第１の実施例と同様の構成となっており、同一構成要素には同一符号を付してある。また、同一構成要素の動作は本発明の第１の実施例と同様である。尚、本発明の第５の実施例はそのシステム構成が図１に示す本発明の第１の実施例によるセルラシステムの構成と同様であり、本発明の第５の実施例による基地局は図２に示す本発明の第１の実施例による基地局１−１〜１−３の構成と同様である。
【００９３】
ハンドオーバセル情報抽出部７１１はハンドオーバ中のセルに関する情報を抽出し、品質しきい値設定部７１２に通知する。品質しきい値設定部７１２はハンドオーバセル情報抽出部７１１から通知された各基地局１−１〜１−３におけるハンドオーバセル数に関する情報を基に、各基地局１−１〜１−３においてハンドオーバ中のセル数が多いほど、品質しきい値Ｑthの値を小さく設定するようにする。決定された品質しきい値Ｑthの値は各基地局に送信する出力信号に多重化して通知される。
【００９４】
図１４は図１３の通信制御装置７１の動作を示すフローチャートである。これら図１と図２と図１３と図１４とを参照して本発明の第５の実施例による通信制御装置７１の動作について説明する。
【００９５】
通信制御装置７１のハンドオーバセル情報抽出部７１１はハンドオーバを行っているセルが更新された時（図１４ステップＳ６１）、それらハンドオーバ中のセルに関する情報を抽出し（図１４ステップＳ６２）、その情報を受信品質しきい値設定部７１２に通知する。
【００９６】
受信品質しきい値設定部７１２はハンドオーバセル情報抽出部７１１から通知されてきたハンドオーバセル中のただ１つのセルに送信を行っている基地局の場合（図１４ステップＳ６３）、品質しきい値ＱthをＱhighに設定する（図１４ステップＳ６４）。また、受信品質しきい値設定部７１２はハンドオーバセル情報抽出部７１１から通知されてきたハンドオーバセル中の複数のセルに送信を行っている基地局の場合（図１４ステップＳ６３）、品質しきい値ＱthをＱlow に設定する（図１４ステップＳ６５）。この時、Ｑlow ＜Ｑhighとする。
【００９７】
受信品質しきい値設定部７１２で決定された品質しきい値Ｑthは各基地局１−１〜１−３へ出力する信号に多重化し、基地局１−１〜１−３へ通知される（図１４ステップＳ６６）。
【００９８】
次に、本実施例の作用について説明する。本実施例では、ハンドオーバ中のセルのうち、ただ１つのセルにのみ送信を行っている基地局の場合に品質しきい値Ｑthを高く設定し、ハンドオーバ中のセルのうち複数のセルに送信を行っている基地局の場合に品質しきい値Ｑthを低く設定することができる。
【００９９】
通常、１つの基地局からハンドオーバ中の複数のセルに対して送受信を行う場合、すなわちソフタハンドオーバの場合、上り回線において各々のセルから受信したＣＷを基地局内において合成することが可能である。したがって、合成ダイバーシチ効果が得られるため、ＣＷの受信品質が低い場合でも受信誤りを生じる確率は、合成ダイバーシチ効果が得られない場合に比較して低くなる。そのため、本実施例では、このようなソフタハンドオーバ状態にあり、低い受信品質でもＣＷの誤り率が低い場合に、受信品質しきい値を低く設定し、非送信基地局のＣＷ受信品質が劣化して下り回線の送信を行うことによる下り回線の干渉を低減することができる。
【０１００】
また、ハンドオーバ中のセルのうち、ただ１つの基地局とのみ送受信を行い、ＣＷの合成ダイバーシチ効果が得られない基地局では、ＣＷの品質しきい値Ｑthを高くし、送信セルのＣＷの受信品質劣化による送信停止の確率を低減することができる。したがって、本実施例では、各基地局におけるＣＷの合成ダイバーシチ効果に応じてできる限り下り回線の劣化や干渉を低減することができるので、下り回線の回線容量を増加させることができる。
【０１０１】
尚、本実施例では、ハンドオーバセル情報抽出部７１１と受信品質しきい値設定部７１２とを備える通信制御装置７１を無線ネットワーク制御装置に備えているが、上記の通信制御装置７１を各基地局１−１〜１−３に備えるようにしてもよい。
【０１０２】
図１５は本発明の第６の実施例による無線ネットワーク制御装置の構成を示すブロック図である。図１５において、本発明の第６の実施例による無線ネットワーク制御装置は送信セル決定条件情報抽出部８１１と受信品質しきい値設定部８１２とを持つ通信制御装置８１を設けた以外は図３に示す本発明の第１の実施例と同様の構成となっており、同一構成要素には同一符号を付してある。また、同一構成要素の動作は本発明の第１の実施例と同様である。尚、本発明の第６の実施例はそのシステム構成が図１に示す本発明の第１の実施例によるセルラシステムの構成と同様であり、本発明の第６の実施例による基地局は図２に示す本発明の第１の実施例による基地局１−１〜１−３の構成と同様である。
【０１０３】
送信セル決定条件情報抽出部８１１は移動局２−１〜２−３において測定した共通パイロット信号の受信品質から送信セルを決定するための条件に関する情報を抽出し、受信品質しきい値設定部８１２に通知する。ここで、送信セルと決定する条件は、最も共通パイロット信号の受信品質が高いセルとの受信品質の差が内部しきい値Ｔinner 以内となるセルであるとする。
【０１０４】
受信品質しきい値設定部８１２は送信セル決定条件情報抽出部８１１から通知された内部しきい値Ｔinner が大きいほど、品質しきい値Ｑthの値を小さく設定するようにする。決定された品質しきい値Ｑthの値は各基地局１−１〜１−３に送信する出力信号に多重化して通知される。
【０１０５】
図１６は図１５の通信制御装置８１の動作を示すフローチャートである。これら図１と図２と図１５と図１６とを参照して本発明の第６の実施例による通信制御装置８１の動作について説明する。
【０１０６】
通信制御装置８１の送信セル決定条件情報抽出部８１１は送信セルを決定する内部しきい値が新たに設定された場合（図１６ステップＳ７１）、その内部しきい値に関する情報を抽出し（図１６ステップＳ７２）、その情報を受信品質しきい値設定部８１２に通知する。
【０１０７】
受信品質しきい値設定部８１２は送信セル決定条件情報抽出部８１１から通知されてきた内部しきい値が所定のしきい値Ｔthよりも小さい場合（図１６ステップＳ７３）、品質しきい値ＱthをＱhighに設定する（図１６ステップＳ７４）。また、受信品質しきい値設定部８１２は送信セル決定条件情報抽出部８１１から通知されてきた内部しきい値が所定のしきい値Ｔthよりも大きい場合（図１６ステップＳ７３）、品質しきい値ＱthをＱlow に設定する（図１６ステップＳ７５）。この時、Ｑlow ＜Ｑhighとする。
【０１０８】
受信品質しきい値設定部８１２で決定された品質しきい値Ｑthは基地局１−１〜１−３へ出力する信号に多重化し、基地局１−１〜１−３へ通知される（図１６ステップＳ７６）。
【０１０９】
次に、本実施例の作用について説明する。本実施例では、移動局２−１〜２−３において送信セルを決定する条件である内部しきい値が小さく、したがって送信セル数が少なくなる割合が大きい場合に品質しきい値Ｑthを大きく設定し、内部しきい値が大きく、送信セル数が多くなる割合が大きい場合に品質しきい値Ｑthを小さく設定することができる。
【０１１０】
すなわち、送信セル数が少ない場合、送信セルにおいて受信誤りが生じ、そのセルが送信を停止すると、他に送信セルが全くいない、もしくは少ないため、下り回線が劣化する割合が高くなる。本実施例では、送信セルが少なくなる割合が高い場合に品質しきい値Ｑthを高く設定するため、送信セルがＣＷを誤って受信する確率が低減されるため、上述のような下り回線の劣化を抑制することができる。
【０１１１】
また、本実施例では、内部しきい値が大きく、送信セルと選択されるセル数が大きい場合に、送信セルにおいてＣＷの受信誤りが生じ送信を停止しても、他に送信セルが十分いる確率が高いため、このような場合に、品質しきい値Ｑthを低く設定し、できる限り非送信基地局が下り回線の送信を行う可能性を低減し、下り回線の干渉を低減することができる。したがって、本実施例では、選択される送信セル数の割合に応じてできる限り下り回線の劣化や干渉を低減することができるので、下り回線の回線容量を増加させることができる。
【０１１２】
尚、本実施例では、ハンドオーバセル情報抽出部８１１と受信品質しきい値設定部８１２とを備える通信制御装置８１を無線ネットワーク制御装置に備えているが、上記の通信制御装置８１を各基地局１−１〜１−３に備えるようにしてもよい。
【０１１３】
図１７は本発明の第７の実施例による無線ネットワーク制御装置の構成を示すブロック図である。図１７において、本発明の第７の実施例による無線ネットワーク制御装置は上り回線目標ＦＥＲ情報抽出部９１１と受信品質しきい値設定部９１２とを持つ通信制御装置９１を設けた以外は図３に示す本発明の第１の実施例と同様の構成となっており、同一構成要素には同一符号を付してある。また、同一構成要素の動作は本発明の第１の実施例と同様である。尚、本発明の第７の実施例はそのシステム構成が図１に示す本発明の第１の実施例によるセルラシステムの構成と同様であり、本発明の第７の実施例による基地局は図２に示す本発明の第１の実施例による基地局１−１〜１−３の構成と同様である。
【０１１４】
上り回線目標ＦＥＲ情報抽出部９１１は上り回線における目標ＦＥＲに関する情報を抽出し、受信品質しきい値設定部９１２に通知する。ここで、本実施例における品質しきい値は、上り回線の目標ＳＩＲ、Ｔsir に対する相対値、すなわちオフセット値ΔＤとして決定され、実際にＣＷの受信品質との比較対象となる品質レベルＱthは、
Ｑth＝Ｔsir −ΔＤ
とするものとする。また、この目標ＳＩＲは上り回線における目標ＦＥＲを満たすように制御されているものとする。
【０１１５】
受信品質しきい値設定部９１２は上り回線目標ＦＥＲ情報抽出部９１１から通知された上り回線の目標ＦＥＲが高いほどオフセット値ΔＤの値を低く設定する。決定されたオフセット値ΔＤの値は各基地局１−１〜１−３に送信する出力信号に多重化して通知される。
【０１１６】
図１８は図１７の通信制御装置９１の動作を示すフローチャートである。これら図１と図２と図１７と図１８とを参照して本発明の第７の実施例による通信制御装置９１の動作について説明する。
【０１１７】
通信制御装置９１の上り回線目標ＦＥＲ情報抽出部９１１は上り回線の目標ＦＥＲが新たに設定された場合（図１８ステップＳ８１）、その目標ＦＥＲに関する情報を抽出し（図１８ステップＳ８２）、その情報を受信品質しきい値設定部９１２に通知する。
【０１１８】
受信品質しきい値設定部９１２は上り回線目標ＦＥＲ情報抽出部９１１から通知されてきた目標ＦＥＲが所定のしきい値ＦＥＲthよりも低い場合（図１８ステップＳ８３）、オフセット値ΔＤをΔＤlarge に設定する（図１８ステップＳ８４）。また、受信品質しきい値設定部９１２は上り回線目標ＦＥＲ情報抽出部９１１から通知されてきた目標ＦＥＲが所定のしきい値ＦＥＲthよりも高い場合（図１８ステップＳ８３）、オフセット値ΔＤをΔＤsmall に設定する（図１８ステップＳ８５）。この時、ΔＤsmall ＜ΔＤlarge とする。
【０１１９】
受信品質しきい値設定部９１２で決定されたオフセット値ΔＤは基地局１−１〜１−３へ出力する信号に多重化し、基地局１−１〜１−３へ通知される（図１８ステップＳ８６）。
【０１２０】
次に、本実施例の作用について説明する。本実施例では、上り回線の目標ＦＥＲが低く、したがって目標ＳＩＲを満たすような受信品質であれば、ＣＷの誤り率が低くなる場合に、目標ＳＩＲとのオフセット値ΔＤとして決定される品質しきい値を大きくとり、目標ＳＩＲよりも大きく劣化している場合のみ、ＣＷの受信品質劣化と判断するようにし、非送信セルの受信品質がしきい値レベル以下となる確率を減少させ、非送信セルの送信による下り回線の干渉をできる限り低減する。
【０１２１】
また、本実施例では、上りの目標ＦＥＲが高く、したがって目標ＳＩＲを満たすような受信品質でも、ＣＷの誤り率が高くなる場合に、目標ＳＩＲとのオフセット値ΔＤとして決定される品質しきい値を小さく設定し、目標ＳＩＲよりもある程度低い受信品質であった場合にＣＷの劣化と判断するようにし、送信セルでのＣＷ誤りを低減し、下り回線の劣化を抑制する。
【０１２２】
このように、本実施例では、上り回線の目標ＳＩＲとの相対値として品質しきい値が決定されている場合にも、目標ＳＩＲに応じて品質しきい値を制御することによって、できる限り下り回線の劣化や干渉を低減することができるので、下り回線の回線容量を増加させることができる。
【０１２３】
尚、本実施例では、上り回線目標ＦＥＲ情報抽出部９１１と受信品質しきい値設定部９１２とを備える通信制御装置９１を無線ネットワーク制御装置に備えているが、上記の通信制御装置９１を各基地局１−１〜１−３に備えるようにしてもよい。
【０１２４】
図１９は本発明の第８の実施例による無線ネットワーク制御装置の構成を示すブロック図である。図１９において、本発明の第８の実施例による無線ネットワーク制御装置はＣＥ数情報抽出部１０１１と受信品質しきい値設定部１０１２とを持つ通信制御装置１０１を設けた以外は図３に示す本発明の第１の実施例と同様の構成となっており、同一構成要素には同一符号を付してある。また、同一構成要素の動作は本発明の第１の実施例と同様である。尚、本発明の第８の実施例はそのシステム構成が図１に示す本発明の第１の実施例によるセルラシステムの構成と同様であり、本発明の第８の実施例による基地局は図２に示す本発明の第１の実施例による基地局１−１〜１−３の構成と同様である。
【０１２５】
ＣＷ数情報抽出部１０１１は移動局２−１〜２−３が上り回線において送信する可能性のあるＣＷの候補数に関する情報を抽出し、受信品質しきい値設定部１０１２に通知する。受信品質しきい値設定部１０１２はＣＷ数情報抽出部１０１１から通知された上り回線において送信される可能性のあるＣＷの候補数に応じて、ＣＷ候補数が少ないほど品質しきい値Ｑthの値を小さく設定する。決定した品質しきい値Ｑthの値は各基地局１−１〜１−３に送信する出力信号に多重化して通知される。
【０１２６】
図２０は図１９の通信制御装置１０１の動作を示すフローチャートである。これら図１と図２と図１９と図２０とを参照して本発明の第８の実施例による通信制御装置１０１の動作について説明する。
【０１２７】
通信制御装置１０１のＣＷ数情報抽出部１０１１はセル識別子が割当てられ、上り回線において送信される可能性のあるＣＷの候補数が新たに設定された場合（図２０ステップＳ９１）、その候補ＣＷ数に関する情報を抽出し（図２０ステップＳ９２）、その情報を受信品質しきい値設定部１０１２に通知する。
【０１２８】
受信品質しきい値設定部１０１２はＣＷ数情報抽出部１０１１から通知されてきた候補ＣＷ数が所定のしきい値Ｎc よりも少ない場合（図２０ステップＳ９３）、品質しきい値ＱthをＱlow に設定する（図２０ステップＳ９４）。また、受信品質しきい値設定部１０１２はＣＷ数情報抽出部１０１１から通知されてきた候補ＣＷ数が所定のしきい値Ｎc よりも多い場合（図２０ステップＳ９３）、品質しきい値ＱthをＱhighに設定する（図２０ステップＳ９５）。この時、Ｑlow ＜Ｑhighとする。
【０１２９】
受信品質しきい値設定部１０１２で決定された品質しきい値Ｑthは基地局１−１〜１−３へ出力する信号に多重化し、基地局１−１〜１−３へ通知される（図２０ステップＳ９６）。
【０１３０】
次に、本実施例の作用について説明する。本実施例では、上り回線で移動局２−１〜２−３が送信してくる可能性のあるＣＷの候補数が少なく、したがって基地局１−１〜１−３においてＣＷの受信品質が低く、ビットの誤りが生じてもＣＷの判定誤りが生じる確率が小さい場合に、品質しきい値Ｑthの値を低くとり、非送信基地局のＣＷの品質が品質しきい値Ｑth以下となり、下り回線の送信を行うことによる干渉を低減することができる。
【０１３１】
また、本実施例では、上り回線で移動局２−１〜２−３が送信してくる可能性のあるＣＷの候補数が多く、したがってＣＷの受信品質が高く、ＣＷの判定誤りが生じる可能性の高い場合に、品質しきい値Ｑthを大きく設定し、送信セルでのＣＷ誤りを低減し、下り回線の劣化を抑制する。このように、本実施例では、上り回線において送信される可能性のあるＣＷの候補数に応じて、できる限り下り回線の劣化や干渉を低減することができるので、下り回線の回線容量を増加させることができる。
【０１３２】
尚、本実施例では、ＣＷ数情報抽出部１０１１と受信品質しきい値設定部１０１２とを備える通信制御装置１０１を無線ネットワーク制御装置に備えているが、上記の通信制御装置１０１を各基地局１−１〜１−３に備えるようにしてもよい。
【０１３３】
上述したように、本発明の第１〜第８の実施例では、それぞれ条件となるしきい値をただ１つ用いて品質しきい値Ｑthを２段階に制御しているが、複数のしきい値を用いて品質しきい値Ｑthを３段階以上に分けて制御してもよい。
【０１３４】
また、本発明の第１〜第８の実施例における基地局１−１〜１−３では各々３つのセルに対して送信を行っているが、基地局１−１〜１−３はただ１つのセルに対して一様に送信、または３つ以外のセルに対して送信を行っていてもよい。尚、品質しきい値Ｑthの制御は本発明の第１〜第８の実施例を組合せて制御するようにしてもよい。
【０１３５】
このように、本発明では、伝搬環境や通信条件に応じて、上り回線で移動局が送信する送信セルを指定するＣＷの受信品質に対する品質しきい値Ｑthを制御している。
【０１３６】
常に品質しきい値Ｑthが大きい場合には、非送信セルからの干渉が増加し、常に品質しきい値Ｑthが小さい場合には、送信セルにおけるＣＷ誤り率が増加し、下り回線の劣化を生じる。
【０１３７】
これに対し、本発明では、送信セルの誤り率が大きくなる場合やＣＷの受信品質に対してＣＷの誤り率が大きくなる場合に品質しきい値Ｑthを大きくすることで、送信セルのＣＷ受信誤りを低減し、そうでない場合に品質しきい値Ｑthを低くすることで、できるだけ非送信セルの送信を抑制して干渉を低減することができる。したがって、本発明では、下り回線における回線容量を増加させることができる。
【図面の簡単な説明】
【０１３８】
【図１】本発明の第１の実施例による移動通信システムの構成を示すブロック図である。
【図２】図１の基地局の構成を示すブロック図である。
【図３】図１の無線ネットワーク制御装置の構成を示すブロック図である。
【図４】図１の基地局の動作を示すフローチャートである。
【図５】図３の通信制御装置の動作を示すフローチャートである。
【図６】本発明の第２の実施例による移動通信システムの構成を示すブロック図である。
【図７】図６の基地局の構成を示すブロック図である。
【図８】本発明の第２の実施例による基地局の動作を示すフローチャートである。
【図９】本発明の第３の実施例による無線ネットワーク制御装置の構成を示すブロック図である。
【図１０】図９の通信制御装置の動作を示すフローチャートである。
【図１１】本発明の第４の実施例による無線ネットワーク制御装置の構成を示すブロック図である。
【図１２】図１１の通信制御装置の動作を示すフローチャートである。
【図１３】本発明の第５の実施例による無線ネットワーク制御装置の構成を示すブロック図である。
【図１４】図１３の通信制御装置の動作を示すフローチャートである。
【図１５】本発明の第６の実施例による無線ネットワーク制御装置の構成を示すブロック図である。
【図１６】図１５の通信制御装置の動作を示すフローチャートである。
【図１７】本発明の第７の実施例による無線ネットワーク制御装置の構成を示すブロック図である。
【図１８】図１７の通信制御装置の動作を示すフローチャートである。
【図１９】本発明の第８の実施例による無線ネットワーク制御装置の構成を示すブロック図である。
【図２０】図１９の通信制御装置の動作を示すフローチャートである。
【図２１】各々速度の異なるフェージング変動を示す図である。
【図２２】各々速度の異なるフェージング変動を示す図である。
【符号の説明】
【０１３９】
１−１〜１−３  基地局
２−１〜２−３  移動局
３  無線ネットワーク制御装置
１１  受信アンテナ
１２  送受共用器
１３  無線受信部
１４  ＲＡＫＥ受信機
１５  デマルチプレクサ
１６  受信品質測定部
１７  送信電力制御部
１８  マルチプレクサ
１９  拡散回路
２０  無線送信部
３１，４１−１〜４１−３，
５１，６１，７１，８１，
９１，１０１  通信制御装置
３２  受信処理部
３３  制御部
３４  送信処理部
２０１〜２０８  セル
３１１  ＣＷ長情報抽出部
３１２，５１２，６１２，
７１２，８１２，９１２，
１０１２  受信品質しきい値設定部
５１１  速度情報抽出部
６１１  下り回線目標ＦＥＲ情報抽出部
７１１  ハンドオーバセル情報抽出部
８１１  送信セル決定条件情報抽出部
９１１  上り回線目標ＦＥＲ情報抽出部
１０１１  ＣＥ数情報抽出部
【図１】
2008245315.tif 000003
【図２】
2008245315.tif 000004
【図３】
2008245315.tif 000005
【図４】
2008245315.tif 000006
【図５】
2008245315.tif 000007
【図６】
2008245315.tif 000008
【図７】
2008245315.tif 000009
【図８】
2008245315.tif 000010
【図９】
2008245315.tif 000011
【図１０】
2008245315.tif 000012
【図１１】
2008245315.tif 000013
【図１２】
2008245315.tif 000014
【図１３】
2008245315.tif 000015
【図１４】
2008245315.tif 000016
【図１５】
2008245315.tif 000017
【図１６】
2008245315.tif 000018
【図１７】
2008245315.tif 000019
【図１８】
2008245315.tif 000020
【図１９】
2008245315.tif 000021
【図２０】
2008245315.tif 000022
【図２１】
2008245315.tif 000023
【図２２】
2008245315.tif 000024
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムの通信制御方法であって、
前記移動局が、前記共通パイロット信号の受信品質の測定結果に応じて回線を設定しているセルから１以上の送信セルを決定し、上り回線において前記送信セルを指定する送信セル指定信号を送信し、
前記回線を設定した基地局が、受信した前記送信セル指定信号の受信品質を測定し、当該受信品質が予め設定された所定の品質しきい値よりも高くかつ自局が送信しているセルが前記送信セル指定信号によって前記送信セルと指定されていない場合に下り回線の送信を停止し、当該受信品質が前記所定の品質しきい値よりも低くかつ自局が送信しているセルが前記送信セル指定信号によって前記送信セルと指定されていない場合に前記下り回線の送信を行うことを特徴とする通信制御方法。
【請求項２】
前記基地局と前記移動局との間の伝搬環境に応じて品質しきい値を変化させるステップを含むことを特徴とする請求項１記載の通信制御方法。
【請求項３】
前記回線を設定した基地局における前記品質しきい値を、前記移動局の移動速度に応じて変化させることを特徴とする請求項１または請求項２記載の通信制御方法。
【請求項４】
前記回線を設定した基地局における前記品質しきい値を、上り回線において送信される前記送信セル指定信号の信号長に応じて変化させることを特徴とする請求項１から請求項３のいずれか記載の通信制御方法。
【請求項５】
前記送信セル指定信号に誤り訂正符号化を施し、
前記回線を設定した基地局における前記品質しきい値を、前記送信セル指定信号における誤り訂正の冗長度に応じて変化させることを特徴とする請求項１から請求項４のいずれか記載の通信制御方法。
【請求項６】
前記送信セル指定信号の単位時間当たりの送信ビット数を固定し、
前記回線を設定した基地局における前記品質しきい値を、前記送信セル指定信号を送信する信号周期の長さに応じて変化させることを特徴とする請求項１から請求項５のいずれか記載の通信制御方法。
【請求項７】
前記送信セル指定信号の送信周期を固定し、
前記回線を設定した基地局における前記品質しきい値を、前記送信セル指定信号の単位時間当たりの送信ビット数に応じて変化させることを特徴とする請求項１から請求項６のいずれか記載の通信制御方法。
【請求項８】
前記送信セル指定信号は、各セルに割当てられたセル識別子に対応したビット系列であり、
前記回線を設定した基地局における前記品質しきい値を、前記送信セル指定信号を判定する際の判定候補となるビット系列数に応じて変化させることを特徴とする請求項１から請求項７のいずれか記載の通信制御方法。
【請求項９】
前記回線を設定した基地局における前記品質しきい値を、下り回線の目標品質に応じて変化させることを特徴とする請求項１から請求項８のいずれか記載の通信制御方法。
【請求項１０】
前記品質しきい値Ｑthが上り回線の目標品質ＳＩＲとのマージンΔＤによって、
Ｑth＝ＳＩＲ−ΔＤ
という式にしたがって設定される送信電力制御方法において用いられ、
前記品質しきい値を決定するマージンΔＤを、上り回線の目標品質ＳＩＲに応じて変化させることを特徴とする請求項２から請求項９のいずれか記載の通信制御方法。
【請求項１１】
前記回線を設定した基地局における前記品質しきい値を、前記基地局が送信を行っているハンドオーバ中のセル数に応じて変化させることを特徴とする請求項１から請求項１０のいずれか記載の通信制御方法。
【請求項１２】
前記移動局において送信セルが前記共通パイロット信号の受信品質が最大であるセル及びそのセルとの受信品質の差が所定の送信セル選択しきい値以内であるセルとする送信電力制御方法に用いられ、
前記回線を設定した基地局における前記品質しきい値を、前記送信セル選択しきい値に応じて変化させることを特徴とする請求項１から請求項１１のいずれか記載の通信制御方法。
【請求項１３】
前記移動局において、前記共通パイロット信号の受信品質が大きい順に所定の送信セル数だけ送信セルを選択する送信電力制御方法に用いられ、
前記回線を設定した基地局における前記品質しきい値を、前記送信セル数に応じて変化させることを特徴とする請求項１から請求項１２のいずれか記載の通信制御方法。
【請求項１４】
前記品質しきい値及び前記品質しきい値を決定するマージンΔＤのうちの少なくとも一方の設定を行う通信制御装置を、前記回線を設定している基地局が接続されている無線ネットワーク制御装置内に設置することを特徴とする請求項１から請求項１３のいずれか記載の通信制御方法。
【請求項１５】
前記品質しきい値及び前記品質しきい値を決定するマージンΔＤのうちの少なくとも一方の設定を行う通信制御装置を、前記基地局各々に対応して設置することを特徴とする請求項１から請求項１３のいずれか記載の通信制御方法。
【請求項１６】
前記受信品質が予め設定された所定の品質しきい値よりも高くかつ自局が送信しているセルが前記送信セル指定信号によって前記送信セルと指定されていない場合に前記基地局をプライマリとし、その他の場合に前記基地局をノンプライマリとすることを特徴とする請求項１から請求項１５のいずれか記載の通信制御方法。
【請求項１７】
１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムにおいて前記基地局を制御するための通信制御装置であって、
前記移動局が、前記共通パイロット信号の受信品質の測定結果に応じて回線を設定しているセルから１以上の送信セルを決定し、上り回線において前記送信セルを指定する送信セル指定信号を送信し、
前記回線を設定した基地局が、受信した前記送信セル指定信号の受信品質を測定し、当該受信品質が予め設定された所定の品質しきい値よりも高くかつ自局が送信しているセルが前記送信セル指定信号によって前記送信セルと指定されていいない場合に下り回線の送信を停止し、当該受信品質が前記所定の品質しきい値よりも低くかつ自局が送信しているセルが前記送信セル指定信号によって前記送信セルと指定されていない場合に前記下り回線の送信を行う送信電力制御方法に用いることを特徴とする通信制御装置。
【請求項１８】
前記基地局と前記移動局との間の伝搬環境に応じて品質しきい値を変化させる手段を含むことを特徴とする請求項１７記載の通信制御装置。
【請求項１９】
前記回線を設定した基地局における前記品質しきい値を、移動局の移動速度に応じて制御することを特徴とする請求項１７または請求項１８記載の通信制御装置。
【請求項２０】
前記回線を設定した基地局における前記品質しきい値を、上り回線において送信される前記送信セル指定信号の信号長に応じて制御することを特徴とする請求項１７から請求項１９のいずれか記載の通信制御装置。
【請求項２１】
前記送信セル指定信号に誤り訂正符号化を施し、
前記回線を設定した基地局における前記品質しきい値を、前記送信セル指定信号における誤り訂正の冗長度に応じて制御することを特徴とする請求項１７から請求項２０のいずれか記載の通信制御装置。
【請求項２２】
前記送信セル指定信号の単位時間当たりの送信ビット数を固定し、
前記回線を設定した基地局における前記品質しきい値を、前記送信セル指定信号を送信する信号周期の長さに応じて制御することを特徴とする請求項１７から請求項２１のいずれか記載の通信制御装置。
【請求項２３】
前記送信セル指定信号の送信周期を固定し、
前記回線を設定した基地局における前記品質しきい値を、前記送信セル指定信号の単位時間当たりの送信ビット数に応じて制御することを特徴とする請求項１７から請求項２２のいずれか記載の通信制御装置。
【請求項２４】
前記送信セル指定信号が、各セルに割当てられたセル識別子に対応したビット系列であり、
前記回線を設定した基地局における前記品質しきい値を、前記送信セル指定信号を判定する際の判定候補となるビット系列数に応じて制御することを特徴とする請求項１７から請求項２３のいずれか記載の通信制御装置。
【請求項２５】
前記回線を設定した基地局における前記品質しきい値を、下り回線の目標品質に応じて制御することを特徴とする請求項１７から請求項２４のいずれか記載の通信制御装置。
【請求項２６】
前記品質しきい値Ｑthを、上り回線の目標品質ＳＩＲに対するマージンΔＤによって、
Ｑth＝ＳＩＲ−ΔＤ
という式で決定し、前記回線を設定した基地局における前記品質しきい値におけるマージンΔＤを、上り回線の目標品質ＳＩＲに応じて制御することを特徴とする請求項１７から請求項２５のいずれか記載の通信制御装置。
【請求項２７】
前記回線を設定した基地局における前記品質しきい値を、前記基地局が送信を行っているハンドオーバ中のセル数に応じて制御することを特徴とする請求項１７から請求項２６のいずれか記載の通信制御装置。
【請求項２８】
前記移動局において、送信セルが前記共通パイロット信号の受信品質が最大であるセル及びそのセルとの受信品質の差が所定の送信セル選択しきい値以内であるセルとし、
前記回線を設定した基地局における前記品質しきい値を、前記送信セル選択しきい値に応じて制御することを特徴とする請求項１７から請求項２７のいずれか記載の通信制御装置。
【請求項２９】
前記移動局において、前記共通パイロット信号の受信品質が大きい順に所定の送信セル数だけ送信セルを選択し、
前記回線を設定した基地局における前記品質しきい値を、前記送信セル数に応じて制御することを特徴とする請求項１７から請求項２８のいずれか記載の通信制御装置。
【請求項３０】
前記品質しきい値を、前記送信セル数が大きいほど、小さい値に設定することを特徴とする請求項１７から請求項２９のいずれか記載の通信制御装置。
【請求項３１】
前記回線を設定している基地局が接続されている無線ネットワーク制御装置内に設置したことを特徴とする請求項１７から請求項３０のいずれか記載の通信制御装置。
【請求項３２】
前記基地局各々に対応して設置したことを特徴とする請求項１７から請求項３０のいずれか記載の通信制御装置。
【請求項３３】
前記受信品質が予め設定された所定の品質しきい値よりも高くかつ自局が送信しているセルが前記送信セル指定信号によって前記送信セルと指定されていない場合に前記基地局をプライマリとし、その他の場合に前記基地局をノンプライマリとすることを特徴とする請求項１７から請求項３０のいずれか記載の通信制御装置。
【手続補正３】
【補正対象書類名】明細書
【補正対象項目名】０００１
【補正方法】変更
【補正の内容】
【０００１】
本発明は通信制御方法及びそれを用いた通信制御装置に関し、特にＤＳ−ＣＤＭＡ（Ｄｉｒｅｃｔ  Ｓｐｒｅａｄ−Ｃｏｄｅ  Ｄｉｖｉｓｉｏｎ  Ｍｕｌｔｉｐｌｅ  Ａｃｃｅｓｓ：直接拡散符号分割多重接続）方式を用いたセルラシステムにおける品質しきい値の設定方法に関する。
【手続補正４】
【補正対象書類名】明細書
【補正対象項目名】００２１
【補正方法】変更
【補正の内容】
【００２１】
そこで、本発明の目的は上記の問題点を解消し、下り回線の回線容量を増加させることができる通信制御方法及びそれを用いた通信制御装置を提供することにある。
【手続補正５】
【補正対象書類名】明細書
【補正対象項目名】００２２
【補正方法】変更
【補正の内容】
【００２２】
本発明による品質しきい値設定方法は、１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムの品質しきい値設定方法であって、
前記移動局が、前記共通パイロット信号の受信品質の測定結果に応じて回線を設定しているセルから１以上の送信セルを決定し、上り回線において前記送信セルを指定する送信セル指定信号を送信し、
前記回線を設定した基地局が、受信した前記送信セル指定信号の受信品質を測定し、当該受信品質が予め設定された所定の品質しきい値よりも高くかつ自局が送信しているセルが前記送信セル指定信号によって前記送信セルと指定されていない場合に下り回線の送信を停止し、当該受信品質が前記所定の品質しきい値よりも低くかつ自局が送信しているセルが前記送信セル指定信号によって前記送信セルと指定されていない場合に前記下り回線の送信を行う送信電力制御方法に用いている。
【手続補正６】
【補正対象書類名】明細書
【補正対象項目名】００２３
【補正方法】変更
【補正の内容】
【００２３】
本発明による通信制御装置は、１以上のセルに対して所定の電力で共通パイロット信号を送信する基地局と、前記１以上のセルにおいて前記基地局との回線を設定しかつ前記基地局から送信される前記共通パイロット信号の受信品質を測定する移動局とを含む移動通信システムにおいて前記基地局を制御するための通信制御装置であって、
前記移動局が、前記共通パイロット信号の受信品質の測定結果に応じて回線を設定しているセルから１以上の送信セルを決定し、上り回線において前記送信セルを指定する送信セル指定信号を送信し、
前記回線を設定した基地局が、受信した前記送信セル指定信号の受信品質を測定し、当該受信品質が予め設定された所定の品質しきい値よりも高くかつ自局が送信しているセルが前記送信セル指定信号によって前記送信セルと指定されていいない場合に下り回線の送信を停止し、当該受信品質が前記所定の品質しきい値よりも低くかつ自局が送信しているセルが前記送信セル指定信号によって前記送信セルと指定されていない場合に前記下り回線の送信を行う送信電力制御方法に用いている。